(57)【特許請求の範囲】
【請求項１】
壁に、人のための出入口と、この出入口と隣接する戸袋とを設け、前記出入口と戸袋の上方に、左右方向を向くとともに、開口側の端部が戸袋側の端部に比べて下方に位置する傾斜レールを設け、この傾斜レールに吊戸を吊支することにより、吊戸が、自重により、傾斜レールに沿って出入口を閉じる方向に移動するようにした自閉式吊戸装置おいて、
閉止時における吊戸の下面と出入口の床面との間に隙間を形成するとともに、吊戸の下面における閉止側の端部に、吊戸の下面より下方に向かって突出する緩衝部材を、若干の抵抗力をもって、吊戸の開方向に移動可能として装着したことを特徴とする自閉式吊戸装置。
【請求項２】
吊戸の開方向へ移動した緩衝部材を、吊戸の閉止側の端部である元位置に戻す戻し手段を設けた請求項１記載の自閉式吊戸装置。
【請求項３】
戻し手段を、出入口または戸袋内の床面に突設され、吊戸を開いたときに緩衝部材に当接して、緩衝部材を元位置へ復帰させる突片とした請求項２記載の自閉式吊戸装置。
【請求項４】
突片を、吊戸の下端に形成した左右方向を向くガイド溝内に嵌合し、吊戸の下端部の前後方向への揺動を阻止するガイドローラの軸を支持する基台により形成した請求項３記載の自閉式吊戸装置。
【請求項５】
吊戸の下端に形成した左右方向を向くガイド溝の下端部に、緩衝部材の左右方向の長さより長い互いに対向する内向きの係合片を設け、緩衝部材の前後の側面に形成した左右方向を向く係合溝を、前記係合片に摺動自在に係合した請求項１〜４のいずれかに記載の自閉式吊戸装置。
【発明の詳細な説明】
【０００１】
【発明の属する技術分野】
本発明は、傾斜したレールに吊支された吊戸が、自重によって閉方向に自動的に移動するようにした自閉式吊戸装置に関する。
【０００２】
【従来の技術】
出入口の上方に配設された傾斜レールに沿って移動自在に吊支された吊戸が、その自重によって閉方向に自動的に移動するようにした自閉式吊戸装置が、例えば、特開平１０−１９６２１５号公報に記載されている。
【０００３】
この公報に記載されている装置においては、閉止時における吊戸の下面と出入口の床面との間には、若干の隙間が形成され、また、吊戸の下面における閉方向側の端部には、緩衝材としての合成樹脂製のコーナー部材が固着されている。
このコーナー部材を設けたことにより、出入口の床面に小さな障害物が落ちている状態で吊戸を閉じて、コーナー部材と支柱との間に障害物を挟み込んでも、コーナー部材が緩衝作用を発揮し、障害物や支柱や吊戸が強い衝撃により損傷することがないようになっている。
【０００４】
【発明が解決しようとする課題】
しかし、上記のように、出入口の床面上に落ちていた障害物にコーナー部材が衝突すると、コーナー部材だけではその衝撃を吸収しきれず、障害物や支柱や吊戸にも損傷等の影響がでる。
【０００５】
本発明は、上述の問題点に鑑みてなされたものであり、出入口の床面上に小さな障害物が落ちている状態で吊戸を全閉しても、障害物や吊戸等に大きな衝撃が掛かることがなく、これらの損傷を防止しうるようにした、安全性の高い自閉式吊戸装置を提供することを目的としている。
【０００６】
【課題を解決するための手段】
本発明によると、上記課題は、次のようにして解決される。
(１)  壁に、人のための出入口と、この出入口と隣接する戸袋とを設け、前記出入口と戸袋の上方に、左右方向を向くとともに、開口側の端部が戸袋側の端部に比べて下方に位置する傾斜レールを設け、この傾斜レールに吊戸を吊支することにより、吊戸が、自重により、傾斜レールに沿って出入口を閉じる方向に移動するようにした自閉式吊戸装置おいて、閉止時における吊戸の下面と出入口の床面との間に隙間を形成するとともに、吊戸の下面における閉止側の端部に、吊戸の下面より下方に向かって突出する緩衝部材を、若干の抵抗力をもって、吊戸との開方向に移動可能として装着する。
【０００７】
(２)  上記(１)項において、吊戸の開方向へ移動した緩衝部材を、吊戸の閉止側の端部である元位置に戻す戻し手段を設ける。
【０００８】
(３)  上記(２)項において、戻し手段を、出入口または戸袋内の床面に突設され、吊戸を開いたときに緩衝部材に当接して、緩衝部材を元位置へ復帰させる突片とする。
【０００９】
(４)  上記(３)項において、突片を、吊戸の下端に形成した左右方向を向くガイド溝内に嵌合し、吊戸の下端部の前後方向への揺動を阻止するガイドローラの軸を支持する基台により形成する。
【００１０】
(５)上記(１)〜(４)項のいずれかにおいて、吊戸の下端に形成した左右方向を向くガイド溝の下端部に、緩衝部材の左右方向の長さより長い互いに対向する内向きの係合片を設け、緩衝部材の前後の側面に形成した左右方向を向く係合溝を、前記係合片に摺動自在に係合する。
【００１１】
【発明の実施の形態】
以下、本発明の一実施形態である自閉式吊戸装置(１)について、添付図面を参照しながら説明する。
【００１２】
図１に示すように、天井(２)と床面(３)との間に設けた壁(４)には正面視方形をなす開口部(５)が設けられ、開口部(５)の左右両側部には、支柱(６)(７)が立設されている。
開口部(５)における天井(２)の下面前後には、左右方向を向く笠木(８)が固着され、各笠木(８)には、左右方向を向く正面視横長方形の上部パネル(９)が取り付けられており、前後の上部パネル(９)の間の空間には、左右方向を向く傾斜レール(10)が配設されている。
【００１３】
傾斜レール(10)は、その左端部が右端部よりも下位となるように傾斜しており、その上面には、正面視縦長方形をなす吊戸(11)の上端に面に設けられた左右１対のローラ(11a)が載置されており、吊戸(11)は、その下面と開口部(５)の床面との間に僅かな隙間を保って(図３及び図４参照)、左右方向に移動しうるようになっている。
【００１４】
図２に拡大して示すように、吊戸(11)の下端面には、側面視下向きコ字形をなすガイド溝(12)が形成され、ガイド溝(12)の左端部には、側面視下向きコ字形をなすとともに、前後の垂下片(13)の下端に内向きの係合片(14)が連設されたチャンネル材(15)が、下部支持部材(16)の上端の水平片(17)をガイド溝(12)の上端面との間に挟んだ状態で嵌合されており、これらの部材(11)(15)(16)は、ボルト(18)とナット(19)をもって互いに嵌合されており、これらの部材(11)(15)(16)は、ボルト(18)とナット(19)をもって互いに固定されている。
【００１５】
上記チャンネル材(15)の各係合片(14)には、合成樹脂や硬質ゴム等の適度の弾性を有する材料により成形された、チャンネル材(15)より短寸の緩衝部材(20)における前後両側面の上端部に形成された左右方向を向く係合溝(21)が嵌合されている。かくして緩衝部材(20)は、所要の抵抗力をもって係合片(14)に沿って左右方向に摺動可能として、かつ吊戸(11)の下端より下方に突出するようにして、吊戸(11)の下端部に取り付けられている。
また、緩衝部材(20)は、係合片(14)の右端部に突設されたストッパ片(図示略)によって、チャンネル材(15)の右端部の開口から抜け出さないようになっている。
【００１６】
図３及び図４に示すように、ガイド溝(12)とチャンネル材(15)の左端の開口は、下部支持部材(16)における垂下片(22)によって塞がれている。
【００１７】
図２に示すように、垂下片(22)の下端部に連設された正面視Ｌ字形の受片(23)には、上下方向を向く中空の戸当たりクッション(24)の下端開口部が嵌合されており、戸当たりクッション(24)の右側面全体は、吊戸(11)の左側面に接着剤等により固着されている。
【００１８】
図１及び図５に示すように、開口部(５)の下端の右半部には、左右方向を向く前後１対の幅木(25)が設けられており、前後の幅木(25)と上部パネル(９)との間には、前後１対の戸袋パネル(26)が設けられている。
【００１９】
開口部(５)における戸袋パネル(26)の左側方は、吊戸(11)によって開閉される出入口(27)となっている。図４に示すように、出入口(27)の右下部における床面(３)(戸袋パネル(26)の左側)上には、吊戸(11)のガイド溝(12)とチャンネル材(15)の内周面とに摺接することにより、吊戸(11)の前後方向の揺動を阻止して移動を円滑にするガイドローラ(28)が、上下方向を向く軸(28a)をもって、基台(29)上に軸着されている。
【００２０】
基台(29)は、床面(３)上に固着され、緩衝部材(20)が図３に仮想線で示すように吊戸(11)の左端部から若干右方に移動した状態で、吊戸(11)が図４に示すような全開位置まで開いたとき、その直前に緩衝部材(20)の右端に当接して、緩衝部材(20)を吊戸(11)の左端部における元位置(図３及び図４に実線で示す位置)に復帰させる戻し手段としての突片の役目も果している。
【００２１】
吊戸(11)は、戸当たりクッション(24)が左側の支柱(６)に当接する全閉位置(図１及び図３の位置)と、吊戸(11)のほぼ全体が戸袋に収納されて、緩衝部材(20)が基台(29)と垂下片(22)との間に挟まれる全開位置(図４の位置)との間で移動することができ、傾斜レール(10)が左側に傾いているため、吊戸(11)から手を離せば、吊戸(11)は自然と全閉位置に移動する。
【００２２】
図３の仮想線で示すような小さな障害物(Ｗ)が出入口(27)の床面(３)上の左端部に落ちている状態で、吊戸(11)を全閉すると、緩衝部材(20)は、障害物(Ｗ)に接触することにより仮想線で示すように右側に移動するので、障害物(Ｗ)が支柱(６)と緩衝部材(20)との間に強力に挟まれて、その反力により、緩衝部材(20)や支柱(６)等に破損が生じることはない。
【００２３】
さらに、緩衝部材(20)が図３に実線に示す元位置から右側に移動しても、図４に示すように、吊戸(11)を全開すると、緩衝部材(20)の右端面が基台(29)の左端面に当接して、緩衝部材(20)が吊戸(11)に対する元位置に押し戻されるので、再度吊戸(11)を全閉する際に、緩衝部材(20)は元位置に復帰し、本来の緩衝作用を奏することができる。
【００２４】
なお、吊戸(11)を全開した際に、吊戸(11)をその位置で停止させる仮止め手段を、吊戸(11)または傾斜レール(10)に取り付けて実施することもある。
【００２５】
また、緩衝部材(20)の左右方向の長さ、またはその移動ストロークを長くした場合は、基台(29)及びガイドローラ(28)は、戸袋パネル(26)間の床面(３)上に設けることもある。
【００２６】
さらに、戻し手段として、吊戸(11)の下端に下向き突設したばね受けと(図示略)、緩衝部材(20)の右端との間に縮設した圧縮コイルばね(図示略)を用い、これによって、元位置より右方に移動した緩衝部材(20)を元位置へ復帰させるようにしてもよい。
【００２７】
【発明の効果】
(Ａ)  請求項１記載の発明によれば、小さな障害物が出入口の床面上の閉止側の端部に落ちている状態で、吊戸を全閉すると、緩衝部材は障害物に当設し、そのときの衝撃が所要の値を超えると、吊戸に対して戸袋側に移動するので、障害物が支柱と緩衝部材との間に強力に挟まれて、その反力により、緩衝部材や支柱等に破損が生じることを防止できる。
【００２８】
(Ｂ)  請求項２記載の発明によれば、緩衝部材が、上述のような障害物の挾み込み等により、吊戸に対して戸袋側に移動した後、障害物を解除すれば、緩衝部材は、戻し手段により元位置に戻されるので、その都度、緩衝部材を人手によって戻す必要がなく便利である。
【００２９】
(Ｃ)  請求項３記載の発明によれば、吊戸を全開したとき、緩衝部材は突片に当接して、必ず元位置へ復帰させられるので、戻し忘れるおそれがない。
【００３０】
(Ｄ)  請求項４記載の発明によれば、戻し手段をガイドローラの支持用の基台で兼用できるので、戻し手段として専用の部材を設ける必要がなく、構造の簡素化、及びコストの低減を図ることができる。
【００３１】
(Ｅ)  請求項５記載の発明によれば、緩衝手段を簡単な構造で安定して確実に支持することができる。
【図面の簡単な説明】
【図１】本発明の一実施形態の正面図である。
【図２】同じく、要部の拡大分解斜視図である。
【図３】同じく、吊戸が全閉した状態を示す要部の拡大正面図である。
【図４】同じく、吊戸が全開した状態を示す要部の拡大正面図である。
【図５】同じく、図４のＶ−Ｖ線に沿う拡大縦断側面図である。
【符号の説明】
(１)自閉式吊戸装置
(２)天井
(３)床面
(４)壁
(５)開口部
(６)(７)支柱
(８)笠木
(９)上部パネル
(10)傾斜レール
(11)吊戸
(11a)ローラ
(12)ガイド溝
(13)垂下片
(14)係合片
(15)チャンネル材
(16)下部支持部材
(17)水平片
(18)ボルト
(19)ナット
(20)緩衝部材
(21)係合溝
(22)垂下片
(23)受片
(24)戸当たりクッション
(25)幅木
(26)戸袋パネル
(27)出入口
(28)ガイドローラ
(29)基台(突片)(戻し手段)
(Ｗ)障害物
【図１】
0004220104.tif 000002
【図２】
0004220104.tif 000003
【図３】
0004220104.tif 000004
【図４】
0004220104.tif 000005
【図５】
0004220104.tif 000006